(57)【要約】【課題】  遊技者がスムーズに連続して手操作スイッチ部を操作することができ、また、遊技者の肉体的疲労の低減が図られたスロットマシンを提案する。【解決手段】  複数の手操作スイッチ部が遊技機本体の前面に左右方向に列設されたスロットマシンにおいて、複数の手操作スイッチ部の近傍に、その列設方向に沿って直線摺動ガイドを設け、周面に形成された遊技者の手を支持するハンド支持面と、直線摺動ガイドに係合する係合部とを具備する可動ハンドレストを、該直線摺動ガイドに摺動可能に嵌合する。かかる構成にあっては、遊技者は、遊技手を可動ハンドレストに支持することにより、遊技手の疲労し難い状態で、手操作スイッチ部の操作をスムーズに連続して行うことができる。【選択図】図２
2006020763.tif 000002
【特許請求の範囲】
【請求項１】
回転ドラム毎に配設され、遊技者の操作により対応する回転ドラムを回転停止する停止手操作スイッチ部を含む複数の手操作スイッチ部が遊技機本体の前面に左右方向に列設されたスロットマシンにおいて、
複数の手操作スイッチ部の近傍に、その列設方向に沿って直線摺動ガイドを設け、
周面に形成された遊技者の手を支持するハンド支持面と、直線摺動ガイドに係合する係合部とを具備する可動ハンドレストを、該直線摺動ガイドに摺動可能に嵌合してなることを特徴とするスロットマシン。 
【請求項２】
回転ドラム毎に配設され、遊技者の操作により対応する回転ドラムを回転停止する停止手操作スイッチ部を含む複数の手操作スイッチ部が遊技機本体の前面に左右方向に列設され、かつ複数の手操作スイッチ部が遊技者により押圧操作される操作突出端を備えた押ボタン型手操作スイッチ部であるスロットマシンにおいて、
遊技機本体の前面に、複数の押ボタン型手操作スイッチ部の列設方向に沿って案内溝を配設し、その移動により押ボタン型手操作スイッチ部の操作突出端を押圧する押圧突部が背面に突成され、遊技者の操作により案内溝に沿って移動する可動押圧片を、前記案内溝に嵌着したことを特徴とするスロットマシン。
【請求項３】
複数の手操作スイッチ部の近傍に、その列設方向に沿って直線摺動ガイドを設け、
周面に形成された遊技者の手を支持するハンド支持面と、直線摺動ガイドに係合する係合部とを具備する可動ハンドレストを、該直線摺動ガイドに摺動可能に嵌合してなると共に、
可動押圧片が、可動ハンドレストのハンド支持面に支持された手で、案内溝に沿って移動操作されるものであることを特徴とする請求項２記載のスロットマシン。 
【請求項４】
複数の手操作スイッチ部の近傍に、その列設方向に沿って設けられた、前方への開口部を有する凹部からなるハンドレスト収納空間と、
裏面に直線摺動ガイドを具備し、開口部の一辺縁に回動可能に軸支されて、該開口部を開放又は遮蔽する扉板とを遊技機本体の前面に備え、
可動ハンドレストを直線摺動ガイドに摺動可能に嵌合して、扉板が回動することにより、該可動ハンドレストが遊技機本体の前面に露出した第１状態、又は、ハンドレスト収納空間に収納された第２状態となるようにした請求項１又は請求項３に記載のスロットマシン。
【請求項５】
可動ハンドレストが、丸棒形状の直線摺動ガイドに、摺動及び回動可能に外嵌してなる請求項１、請求項３又は請求項４に記載のスロットマシン。
【請求項６】
回転ドラム毎に配設され、遊技者の操作により対応する回転ドラムを回転停止する停止手操作スイッチ部を含む複数の手操作スイッチ部を備えたスロットマシンにおいて、
軸支持部と、該軸支持部と同心状に周設された付装周面とを備え、かつ該付装周面に複数の手操作スイッチ部を周方向に沿って適宜間隔で配設してなるスイッチ集合片と、
遊技者に把持されるハンド支持面が周設され、スイッチ集合片の軸支持部に回動可能に軸支される軸状ハンドル型の回動ハンドレストとからなるスイッチング操作部を遊技機本体の前面に備えてなることを特徴とするスロットマシン。
【請求項７】
付装周面に複数の停止手操作スイッチ部が配設されてなる第１スイッチ集合片と、第１回動ハンドレストとからなる第１スイッチング操作部と、
付装周面に投入手操作スイッチ部と始動手操作スイッチ部とが配設されてなる第２スイッチ集合片と、第２回動ハンドレストとからなる第２スイッチング操作部とを、
遊技機本体の前面の左右に、各回動ハンドレスト相互が拡開傾斜するようにして備えてなることを特徴とする請求項６記載のスロットマシン。
【発明の詳細な説明】
【技術分野】
【０００１】
本発明は、遊技機本体に回転ドラムと複数の手操作スイッチ部とを備えたスロットマシンに関する。
【背景技術】
【０００２】
スロットマシンは、一般に、遊技機本体の内部に左右方向に軸支され、遊技機本体の前面の表示窓を通して視認可能となる複数の回転ドラムと、遊技者の操作により１ゲーム当たりのメダルの投入数が設定される投入手操作スイッチ部と、遊技者の操作により複数の回転ドラムを回転始動する始動手操作スイッチ部と、回転ドラム毎に配設され、遊技者の操作により対応する回転ドラムを回転停止する複数の停止手操作スイッチ部とを備える。遊技者は、始めに、投入手操作スイッチ部を操作して１ゲーム当たりのメダルの投入数を設定する。これにより、メダルの投入数に対応する数の入賞ラインが有効となる。次に、遊技者は、始動手操作スイッチ部を操作して複数の回転ドラムを回転始動させ、最後に、回転ドラム毎に配設された停止手操作スイッチ部を操作して、対応する回転ドラムを夫々回転停止させる。これにより１ゲームの遊技が行われて、表示窓に表示された図柄のうち、有効な入賞ライン上に停止した図柄列が所定の当たり配列となった場合に、メダルの供出や遊技者に有利な遊技作動等の所定の入賞態様が実行される。
【０００３】
ところで、遊技者は、スロットマシンの遊技操作、すなわち上記のような１ゲーム当たりの投入手操作スイッチ部の操作、始動手操作スイッチ部の操作、及び、停止手操作スイッチ部の操作という一連の操作を連続して行うものである。したがって、スロットマシンには、遊技者が遊技し易く、この一連の操作をより円滑に行うことのできる構成が求められている。
【０００４】
そこで、従来のスロットマシンでは、各停止手操作スイッチ部間に、各停止手操作スイッチ部を結ぶ溝形状のガイドが設けられている。かかる構成にあっては、遊技者は、停止手操作スイッチ部を操作した後に、次の停止手操作スイッチ部まで、指をガイドに沿って移動させ、そして、当該停止手操作スイッチ部を操作するというものである。遊技者は、このガイドによって指が次の停止手操作スイッチ部まで案内されるため、よりスムーズに連続して複数の停止手操作スイッチ部の操作を行うことができる。
【０００５】
しかしながら、かかる構成にあっては、ガイドが停止手操作スイッチ部間に設けられ、間欠的配置構造となっているため、その案内作用に連続性が無く、また、遊技者の操作は、停止手操作スイッチ部で指が逸れる等、円滑なものとならず、安定性に欠けるものとなっている。
【０００６】
また、かかる構成にあっては、スロットマシンの遊技が長時間に及ぶ場合に、遊技者の肉体的疲労が誘発され易い。すなわち、遊技者は、前記一連の操作を、通常、同一の遊技手により繰返し行うことから、遊技が長時間に及ぶと、特定の指や腕に負荷がかかることとなり、遊技者はその疲労感から、遊技への意欲を徐々に喪失してしまう恐れがある。
【０００７】
そこで、かかる問題を解決するために、特許文献１に記載のスロットマシンが提案されている。このスロットマシンでは、列設された複数の手操作スイッチ部の上部に、その列設方向に沿って溝又は突起形状の操作ガイドが配設されている。そして、かかる構成にあっては、遊技者は、操作ガイドに指を掛けて遊技手を支持し、この状態で、指を操作ガイドに沿って移動させつつ、親指で手操作スイッチ部を操作するものである。したがって、遊技者は、操作ガイドに遊技手を支持することにより、遊技手の疲労感を低減させることができ、また、遊技手を操作ガイドに沿わせることにより、遊技手の安定性が増して、手操作スイッチ部をスムーズに連続して操作することができる。
【０００８】
【特許文献１】特開平１１−２３９６２９
【発明の開示】
【発明が解決しようとする課題】
【０００９】
ところで、遊技者が前記操作ガイドに指を掛け、指を操作ガイドに沿って移動させる際には、指と操作ガイドとの間には摩擦が生じることとなる。特に、遊技手を操作ガイドに支持した状態では、遊技手の自重によって摩擦が強く生じるため、遊技者が指を操作ガイドに沿って移動させることは、実際上困難である。
【００１０】
したがって、特許文献１に記載のスロットマシンの構成では、遊技者は、手操作スイッチ部をスムーズに連続して操作するために、指を操作ガイドに掛けて遊技手を支持した状態ではなく、単に指を操作ガイドに掛けた状態として、指を移動させる必要がある。すなわち、かかる構成にあっては、実際には、遊技手の疲労感が低減されるものとはなっていない。
【００１１】
ここで、単に指を操作ガイドに掛けた状態で、指を操作ガイドに沿って移動させる際には、指が操作ガイドによって案内されるため、遊技者は、手操作スイッチ部をスムーズに連続して操作することができる。しかしながら、単に指を操作ガイドに掛けた状態であっても、遊技者が、指を操作ガイドに沿って連続して移動させる際には、操作ガイドとの摩擦により、操作ガイドと接触している指先の皮膚が擦れ、不快感や痛みを生じさせる恐れがある。したがって、かかる操作ガイドでは、遊技者が長時間継続して利用するに適したものともなっていない。
【００１２】
以上のことから、特許文献１に記載のスロットマシンの構成では、従来の問題がなんら解決されたものとなっていない。そこで、本発明は、従来のスロットマシンの問題を解決し、遊技者がスムーズに連続して手操作スイッチ部を操作することができ、また、遊技者の肉体的疲労の低減が図られたスロットマシンを提案するものである。
【課題を解決するための手段】
【００１３】
本発明は、回転ドラム毎に配設され、遊技者の操作により対応する回転ドラムを回転停止する停止手操作スイッチ部を含む複数の手操作スイッチ部が遊技機本体の前面に左右方向に列設されたスロットマシンにおいて、複数の手操作スイッチ部の近傍に、その列設方向に沿って直線摺動ガイドを設け、周面に形成された遊技者の手を支持するハンド支持面と、直線摺動ガイドに係合する係合部とを具備する可動ハンドレストを、該直線摺動ガイドに摺動可能に嵌合してなることを特徴とするスロットマシンである（請求項１）。
【００１４】
ここで、手操作スイッチ部とは、遊技手により操作されるボタン又はレバー等の遊技の進行を司るスイッチ型手操作入力手段を指す。また、近傍とは、嵌合する可動ハンドレストのハンド支持面に支持された遊技手により複数の手操作スイッチ部が操作可能となる、直線摺動ガイドの所定の位置を示す。
【００１５】
かかる構成では、遊技者は可動ハンドレストのハンド支持面に遊技手を支持する。そして、該可動ハンドレストを直線摺動ガイドに沿って摺動させることにより、遊技手が手操作スイッチ部に沿って円滑に移動することになる。したがって、遊技者は、遊技手の安定した状態で、手操作スイッチ部をスムーズに連続して操作することができる。
【００１６】
また、本発明は、回転ドラム毎に配設され、遊技者の操作により対応する回転ドラムを回転停止する停止手操作スイッチ部を含む複数の手操作スイッチ部が遊技機本体の前面に左右方向に列設され、かつ複数の手操作スイッチ部が遊技者により押圧操作される操作突出端を備えた押ボタン型手操作スイッチ部であるスロットマシンにおいて、遊技機本体の前面に、複数の押ボタン型手操作スイッチ部の列設方向に沿って案内溝を配設し、その移動により押ボタン型手操作スイッチ部の操作突出端を押圧する押圧突部が背面に突成され、遊技者の操作により案内溝に沿って移動する可動押圧片を、前記案内溝に嵌着したことを特徴とするスロットマシンである（請求項２）。
【００１７】
ここで、操作突出端とは、押ボタン型手操作スイッチ部のうち遊技機本体の前面から突出している部分を指す。
【００１８】
かかる構成では、遊技者は、遊技手のいずれかの指を可動押圧片に接触させて、該可動押圧片を案内溝に沿って押ボタン型手操作スイッチ部上を移動させる。これにより、可動押圧片の背面に突成された押圧突部が、押ボタン型手操作スイッチ部の操作突出端と衝突し、押ボタン型手操作スイッチ部が押圧されることとなる。したがって、遊技者は、可動押圧片を移動操作することのみにより、押ボタン型手操作スイッチ部を押圧操作することができる。
【００１９】
また、かかるスロットマシンにおいて、複数の手操作スイッチ部の近傍に、その列設方向に沿って直線摺動ガイドを設け、周面に形成された遊技者の手を支持するハンド支持面と、直線摺動ガイドに係合する係合部とを具備する可動ハンドレストを、該直線摺動ガイドに摺動可能に嵌合してなると共に、可動押圧片が、可動ハンドレストのハンド支持面に支持された手で、案内溝に沿って移動操作されるものであることを特徴とする構成が提案される（請求項３）。
【００２０】
かかる構成では、遊技者は、可動ハンドレストに支持した遊技手のいずれかの指を可動押圧片に接触させる。そして、可動ハンドレストを直線摺動ガイドに沿って摺動させつつ、可動押圧片を案内溝に沿って押ボタン型手操作スイッチ部上を移動させる。これにより、可動押圧片の背面に突成された押圧突部が、押ボタン型手操作スイッチ部の操作突出端と衝突し、押ボタン型手操作スイッチ部が押圧されることとなる。したがって、遊技者は、遊技手を可動ハンドレストに支持した状態で、可動押圧片を移動させることのみにより、押ボタン型手操作スイッチ部を押圧操作することができる。
【００２１】
また、上記本発明のスロットマシンにおいて、複数の手操作スイッチ部の近傍に、その列設方向に沿って設けられた、前方への開口部を有する凹部からなるハンドレスト収納空間と、裏面に直線摺動ガイドを具備し、開口部の一辺縁に回動可能に軸支されて、該開口部を開放又は遮蔽する扉板とを遊技機本体の前面に備え、可動ハンドレストを直線摺動ガイドに摺動可能に嵌合して、扉板が回動することにより、該可動ハンドレストが遊技機本体の前面に露出した第１状態、又は、ハンドレスト収納空間に収納された第２状態となるようにした構成が提案される（請求項４）。
【００２２】
遊技者は、可動ハンドレストが備えられたスロットマシンであっても、当該ハンドレストを使用せずに手操作スイッチ部を押圧操作して、遊技を興趣することが考えられる。このような場合では、遊技機本体の前面に備えられた可動ハンドレストは、遊技者の遊技の妨げとなる恐れがある。そこで、かかる構成により、遊技者は、可動ハンドレストの使用状況に応じて扉板を回動させることで、当該ハンドレストを遊技機本体の前面に露出させた第１状態又はハンドレスト収納空間に収納した第２状態とすることができる。
【００２３】
ここで、上記本発明のスロットマシンにおいて、可動ハンドレストが、丸棒形状の直線摺動ガイドに、摺動及び回動可能に外嵌してなる構成が提案される（請求項５）。
【００２４】
かかる構成では、遊技手を支持した可動ハンドレストが、丸棒形状の直線摺動ガイドの周面に沿う方向に回動可能となる。したがって、遊技者は、手操作スイッチ部の操作又は可動押圧片の移動操作を行う際に、可動ハンドレストを回動させることによって、遊技手と、手操作スイッチ部又は可動押圧片との距離及び位置関係を、遊技者自身の操作し易い任意の距離及び位置関係とすることができる。
【００２５】
一方、回転ドラム毎に配設され、遊技者の操作により対応する回転ドラムを回転停止する停止手操作スイッチ部を含む複数の手操作スイッチ部を備えたスロットマシンにおいて、軸支持部と、該軸支持部と同心状に周設された付装周面とを備え、かつ該付装周面に複数の手操作スイッチ部を周方向に沿って適宜間隔で配設してなるスイッチ集合片と、遊技者に把持されるハンド支持面が周設され、スイッチ集合片の軸支持部に回動可能に軸支される軸状ハンドル型の回動ハンドレストとからなるスイッチング操作部を遊技機本体の前面に備えてなることを特徴とするスロットマシンも提案される（請求項６）。
【００２６】
かかる構成では、遊技者は、軸状ハンドル型の回動ハンドレストを把持することにより遊技手を支持する。そして、当該回動ハンドレストを軸支持部を中心軸として回動させることにより、軸支持部と同心状に周設された付装周面に配設された手操作スイッチ部に沿って、遊技手が円滑に移動することとなる。したがって、遊技者は、遊技手の安定した状態で、手操作スイッチ部をスムーズに連続して操作することができる。
【００２７】
また、かかるスロットマシンにおいて、付装周面に複数の停止手操作スイッチ部が配設されてなる第１スイッチ集合片と、第１回動ハンドレストとからなる第１スイッチング操作部と、付装周面に投入手操作スイッチ部と始動手操作スイッチ部とが配設されてなる第２スイッチ集合片と、第２回動ハンドレストとからなる第２スイッチング操作部とを、遊技機本体の前面の左右に、各回動ハンドレスト相互が拡開傾斜するようにして備えてなることを特徴とする構成が提案される（請求項７）。
【００２８】
かかる構成では、遊技者は、一方の遊技手で、第１回動ハンドレストのハンド支持面を把持し、他方の遊技手で、第２回動ハンドレストのハンド支持面を把持する。そして、夫々の回動ハンドレストを軸支持部を中心軸として回動させることにより、一方の遊技手が複数の停止手操作スイッチ部に沿って円滑に移動し、また、他方の遊技手が投入手操作スイッチ部及び始動手操作スイッチ部に沿って円滑に移動することとなる。これにより、遊技者は、両遊技手の安定した状態で、手操作スイッチ部をスムーズに連続して操作することができる。
【発明の効果】
【００２９】
以上に述べたように、本発明は、複数の手操作スイッチ部が遊技機本体の前面に左右方向に列設されたスロットマシンにおいて、複数の手操作スイッチ部の近傍に、その列設方向に沿って直線摺動ガイドを設け、周面に形成された遊技者の手を支持するハンド支持面と、直線摺動ガイドに係合する係合部とを具備する可動ハンドレストを、該直線摺動ガイドに摺動可能に嵌合してなることを特徴とするスロットマシンである（請求項１）。かかる構成にあっては、遊技手を可動ハンドレストに支持した状態で、手操作スイッチ部の操作をスムーズに連続して行うことができるため、遊技手は疲労し難く、遊技者は、長時間継続して遊技を行うことができる。すなわち、かかる構成では、遊技者の肉体的疲労が低減され、該肉体的疲労に起因する遊技への意欲の低下を防止することができる。また、遊技手を可動ハンドレストに支持しているため、遊技手は安定状態となり、かつ遊技手は可動ハンドレストにより手操作スイッチ部に沿って案内されるため、遊技者の操作性は優れたものとなる。さらに、かかる構成では、遊技手が摩擦の影響を全く受けないため、遊技者は、快適かつ継続的に遊技に熱中することができる。
【００３０】
また、本発明は、複数の手操作スイッチ部が遊技機本体の前面に左右方向に列設され、かつ複数の手操作スイッチ部が遊技者により押圧操作される操作突出端を備えた押ボタン型手操作スイッチ部であるスロットマシンにおいて、遊技機本体の前面に、複数の押ボタン型手操作スイッチ部の列設方向に沿って案内溝を配設し、その移動により押ボタン型手操作スイッチ部の操作突出端を押圧する押圧突部が背面に突成され、遊技者の操作により案内溝に沿って移動する可動押圧片を、前記案内溝に嵌着したことを特徴とするスロットマシンである（請求項２）。かかる構成にあっては、遊技者は、遊技手のいずれかの指を
可動押圧片に接触させ、該可動押圧片を案内溝の案内方向に沿って移動操作することのみにより、押ボタン型手操作スイッチ部を押圧操作することができるため、操作性は優れたものとなる。また、可動押圧片を移動操作するだけで、遊技者自身の押圧操作は省かれるため、遊技手は疲労し難く、遊技者は、遊技を長時間継続する場合であっても、遊技への意欲を保つことができる。
【００３１】
また、本発明は、複数の手操作スイッチ部の近傍に、その列設方向に沿って直線摺動ガイドを設け、周面に形成された遊技者の手を支持するハンド支持面と、直線摺動ガイドに係合する係合部とを具備する可動ハンドレストを、該直線摺動ガイドに摺動可能に嵌合してなると共に、可動押圧片が、可動ハンドレストのハンド支持面に支持された手で、案内溝に沿って移動操作されるものであることを特徴とするスロットマシンである（請求項３）。かかる構成にあっては、遊技者は、遊技手を可動ハンドレストに支持した状態で、可動押圧片を案内溝の案内方向に沿って移動操作することのみにより、押ボタン型手操作スイッチ部を押圧操作することができるため、操作性は極めて優れたものとなる。また、遊技手が支持され、かつ遊技者自身の押圧操作は省かれるため、遊技者は、遊技手に疲労を感じ難く、遊技を長時間継続する場合であっても、遊技への興趣及び意欲を保つことができる。
【００３２】
また、本発明は、複数の手操作スイッチ部の近傍に、その列設方向に沿って設けられたハンドレスト収納空間と、裏面に直線摺動ガイドを具備し、開口部の一辺縁に回動可能に軸支された扉板とを遊技機本体の前面に備え、扉板が回動することにより、可動ハンドレストが遊技機本体の前面に露出した第１状態、又は、ハンドレスト収納空間に収納された第２状態となるようにしたスロットマシンである（請求項４）。かかる構成にあっては、遊技者は、可動ハンドレストの使用状況に応じて扉板を回動させることで、当該ハンドレストを遊技機本体の前面に露出させた第１状態又はハンドレスト収納空間に収納した第２状態とすることができる。このため、遊技者は、可動ハンドレストを使用する場合には、本発明の効果を享受することができる。そして、可動ハンドレストを使用せず、当該ハンドレストが遊技の妨げと感じる場合には、遊技者は、当該ハンドレストをハンドレスト収納空間に収納することで、遊技への興趣及び意欲を保ちつつ、遊技に熱中することができる。
【００３３】
さらに、本発明は、可動ハンドレストが、丸棒形状の直線摺動ガイドに、摺動及び回動可能に外嵌してなるスロットマシンである（請求項５）。かかる構成にあっては、遊技者は、手操作スイッチ部の操作又は可動押圧片の移動操作を行う際に、遊技手を支持した可動ハンドレストを回動させることによって、遊技手と、手操作スイッチ部又は可動押圧片との距離及び位置関係を、遊技者自身の操作し易い任意の距離及び位置関係とすることができるため、遊技者の操作性は極めて向上することとなる。また、遊技手は支持された状態にあり、かつ操作性の向上により遊技手は疲労し難くなることから、遊技者の肉体的疲労の低減も図られ、遊技者が長時間継続して遊技を行う場合であっても、遊技への意欲の低下を防止することができる。
【００３４】
次に、本発明は、軸支持部と、該軸支持部と同心状に周設された付装周面とを備え、かつ該付装周面に複数の手操作スイッチ部を周方向に沿って適宜間隔で配設してなるスイッチ集合片と、スイッチ集合片の軸支持部に回動可能に軸支される軸状ハンドル型の回動ハンドレストとからなるスイッチング操作部を遊技機本体の前面に備えてなるスロットマシンである（請求項６）。かかる構成にあっては、遊技手を軸状ハンドル型の回動ハンドレストに支持した状態で、手操作スイッチ部をスムーズに連続して操作することができるため、遊技手は疲労し難くなり、遊技者は、長時間継続して遊技を行うことができる。すなわち、かかる構成では、遊技者の肉体的疲労が低減され、該肉体的疲労に起因する遊技への意欲の低下をも防止することができる。また、遊技手を回動ハンドレストに支持しているため、遊技手は安定状態となり、かつ回動ハンドレストを回動させることにより、遊技手が手操作スイッチ部に沿って移動するため、遊技者の操作性は優れたものとなる。さらに、かかる構成では、遊技手が摩擦の影響を全く受けないため、遊技者は、快適かつ継続的に遊技に熱中することができる。
【００３５】
また、本発明は、付装周面に複数の停止手操作スイッチ部が配設されてなる第１スイッチ集合片と、第１回動ハンドレストとからなる第１スイッチング操作部と、付装周面に投入手操作スイッチ部と始動手操作スイッチ部とが配設されてなる第２スイッチ集合片と、第２回動ハンドレストとからなる第２スイッチング操作部とを、遊技機本体の前面の左右に、各回動ハンドレスト相互が拡開傾斜するようにして備えてなることを特徴とする請求項６記載のスロットマシンである（請求項７）。かかる構成にあっては、遊技者は、両遊技手を支持した状態で、手操作スイッチ部をスムーズに連続して操作することができ、かつ両遊技手を使って遊技を行うことにより各遊技手に必要な遊技動作が減少する。このため、遊技手は疲労し難くなり、遊技者が長時間継続して遊技を行う場合であっても、遊技への意欲の低下を防止することができる。また、両遊技手は安定した状態であり、かつ回動ハンドレストを回動させることにより、両遊技手が夫々手操作スイッチ部に沿って移動するため、遊技者の操作性は優れたものとなる。
【発明を実施するための最良の形態】
【００３６】
本発明の最良の実施形態例を添付図面に沿って説明する。
本実施形態例のスロットマシンは、図１に示すように、正面矩形状をなす遊技機本体１の内部に、個別に回転する三つの回転ドラム３ａ、３ｂ、３ｃを備える。そして、遊技機本体１の前面の各回転ドラム３ａ、３ｂ、３ｃを臨む位置には、矩形の表示窓４ａ、４ｂ、４ｃが夫々形成されている。各回転ドラム３ａ、３ｂ、３ｃには、その外周面に沿って複数の図柄が等間隔に配設されており、これらの図柄は、各回転ドラム３ａ、３ｂ、３ｃ毎に、特有の図柄列を構成するものである。そして、各回転ドラム３ａ、３ｂ、３ｃは表示窓４ａ、４ｂ、４ｃを通して前方から視認可能となっており、各回転ドラム３ａ、３ｂ、３ｃの回転に伴って、表示窓４ａ、４ｂ、４ｃに表示される図柄が連続的に変化するようになっている。
【００３７】
表示窓４ａ、４ｂ、４ｃには、図柄有効領域が設けられており、この図柄有効領域内には、回転ドラム３ａ、３ｂ、３ｃの正面に位置する図柄が縦横に三つずつ並ぶようになっている。また、図柄有効領域には、横方向に３列及び斜め方向に２列の入賞ラインが設定されており、表示窓４ａ、４ｂ、４ｃの左側には、有効な入賞ラインを遊技者に報知する入賞ラインランプ１１が設けられている。そして、回転ドラム３ａ、３ｂ、３ｃが停止した際に、有効な入賞ライン上に表示された図柄列が所定の当たり配列となった場合には、遊技機本体１の前面下部の受け皿９に所定数のメダルが供出されたり、遊技者に有利なボーナスゲーム等の遊技作動が実行される。
【００３８】
遊技機本体１の前面の表示窓４ａ、４ｂ、４ｃの下側には、段差面２が設けられている。この段差面２の右側には、遊技者がメダルを投入するためのメダル投入口８が備えられている。そして、後に詳述する第一実施形態例では、該段差面２に直線摺動ガイドが配設され、該直線摺動ガイドに可動ハンドレストが係合される。
【００３９】
また、メダル投入口８の直上位置には、一方をクレジット数表示部、他方を入賞払出数表示部とする表示部１０，１０が並んで形成されている。そして、クレジット数表示部には、メダルのクレジット数が所定の上限数（例えば５０枚）まで表示され、一方、入賞払出数表示部には、入賞として払い出されるメダル数が表示される
【００４０】
遊技機本体１の前面の段差面２の下側には、遊技者の押圧操作により１ゲーム当たりのメダルの投入数を設定するベットボタン５と、遊技者のレバー操作により回転ドラムを回転始動するスタートレバー６と、遊技者の押圧操作により、対応する回転ドラムを回転停止する三つのストップボタン７ａ、７ｂ、７ｃとが、左から順に左右方向に列設されている。ベットボタン５は、押圧操作する回数により、メダルの投入数が変更されるものである。ここで、ベットボタン５は本発明の投入手操作スイッチ部に対応するものである。また、スタートレバー６は始動手操作スイッチ部に、ストップボタン７ａ、７ｂ、７ｃは停止手操作スイッチ部に、夫々対応するものである。
【００４１】
また、このスロットマシンには、電子回路によって構成される制御装置（図示省略）が内蔵されており、この制御装置によりスロットマシンの遊技作動が統括される。この制御装置は、前記ストップボタン７ａ、７ｂ、７ｃと共に、回転ドラム３ａ、３ｂ、３ｃを停止させる停止手段を構成するものであり、回転ドラム３ａ、３ｂ、３ｃの回転開始時点で制御装置に記憶される遊技状態と、各ストップボタン７ａ。７ｂ、７ｃの押圧操作タイミングとに応じて、入賞ライン上に停止する図柄配列が決定される。なお、本実施例にかかる制御装置の構成や、該制御装置により実現される遊技態様は、本発明の要部ではなく、既知のスロットマシンと同じものを適宜利用可能であるため詳細な説明は省略する。
【００４２】
以下に本発明の要部であるハンドレストについて説明する。
まず、本発明の第一実施形態例について説明する。本実施形態例では、図２に示すように、遊技機本体１の前面の前記段差面２に、二つのガイド支持片３１，３１が形成され、丸棒形状の直線摺動ガイド３０Ａが、この二つのガイド支持片３１，３１に、その両端を軸支される。そして、可動ハンドレスト２０Ａが、この直線摺動ガイド３０Ａに摺動及び回動可能に外嵌される。
【００４３】
可動ハンドレスト２０Ａは、図３に示すように、その周面に遊技者の手を支持するハンド支持面２１ａを具備し、このハンド支持面２１ａの後面には、略球面形状のくぼみ２３が形成されている。遊技者は、一般に、この後面のくぼみ２３に指を掛けて可動ハンドレスト２０Ａを把持し、これにより、遊技手ｘが支持される。また、可動ハンドレスト２０Ａは、その下面に係合部２２ａを具備する。該係合部２２ａは直線摺動ガイド３０Ａと嵌合する欠円形状からなる。そして、この係合部２２ａには、可動ハンドレスト２０Ａを直線摺動ガイド３０Ａに対して摺動及び回動可能とするために、定位置で転動可能な摺動球２５ａが複数配設されている。
【００４４】
可動ハンドレスト２０Ａの摺動範囲は、二つのガイド支持片３１，３１によって制限され、列設された複数の手操作スイッチ部のうち、左端に位置するベットボタン５から右端に位置するストップボタン７ｃまでの範囲を摺動する。また、可動ハンドレスト２０Ａの回動範囲は、段差面２によって制限される（図４参照）。可動ハンドレスト２０Ａは、段差面２と接触する下面にも係合部と同様の摺動球２５ｂが配設されており、段差面２と接触した状態であっても円滑に摺動することができるものである。
【００４５】
かかる構成にあっては、遊技者は、可動ハンドレスト２０Ａに遊技手ｘを支持した状態で、左端のベットボタン５から右端のストップボタン７ｃまでを、可動ハンドレスト２０Ａを摺動及び回動させながらスムーズに連続して操作することができる。したがって、遊技者は、長時間継続して遊技する場合であっても遊技手ｘに疲労を感じ難くなり、遊技への意欲の低下を防止することができる。また、遊技者は、遊技手ｘの安定した状態で、かつ該可動ハンドレスト２０Ａは回動可能であって、遊技者自身の操作し易い任意の距離及び位置関係で手操作スイッチ部を操作することができるため、遊技者の操作性は極めて向上することになる。さらに、かかる構成では、遊技手ｘが摩擦の影響を全く受けないため、遊技者は、上記本発明の効果を享受しながら快適に遊技に熱中することができる。
【００４６】
次に、本発明の第二実施形態例について説明する。本実施形態例では、図５に示すように、複数の手操作スイッチ部の下側に、その列設方向に沿って、前方への開口部を有する凹部からなるハンドレスト収納空間４０が設けられる。そして、該収納空間４０の開口部の下辺縁に、裏面に直線摺動ガイド３０Ｂを具備する扉板３２が支軸３４により回動可能に軸支され、この扉板３２裏面の直線摺動ガイド３０Ｂに可動ハンドレスト２０Ｂが嵌合される。
【００４７】
扉板３２は、図６に示すように、その裏面に全幅に渡って直線摺動ガイド３０Ｂが一体的に突設されている。この直線摺動ガイド３０Ｂは、その上端にＴ形の案内突部３５を備える。また、扉板３２の前面には、扉板３２が完全に開放した状態で直線摺動ガイド３０Ｂが水平となるようにストッパー３３が設けられている。
【００４８】
一方、扉板３２裏面の直線摺動ガイド３０Ｂの案内突部３５に摺動可能に嵌合している可動ハンドレスト２０Ｂは、その上面に遊技手ｘを支持するハンド支持面２１ｂを具備し、このハンド支持面２１ｂには緩やかな傾斜面２４が形成されている。遊技者は、一般に、この傾斜面２４に手首を載置することにより遊技手ｘを支持する。また、可動ハンドレスト２０Ｂは、その下面に直線摺動ガイド３０Ｂの案内突部３５と係合する係合部２２ｂを具備し、該係合部２２ｂはＴ形の案内突部３５と嵌合する所定径の略凹部形状からなる。そして、この係合部２２ｂには、可動ハンドレスト２０Ｂを直線摺動ガイド３０Ｂの案内突部３５に対して摺動可能とするために、定位置で転動可能な摺動球２５ｃが複数配設されている。
【００４９】
かかる構成にあっては、遊技者は、図７に示すように、扉板３２を回動させることにより、可動ハンドレスト２０Ｂを遊技機本体１の前面に露出させた第１状態、又は、ハンドレスト収納空間４０に収納した第２状態とすることができる。そして、可動ハンドレスト２０Ｂを遊技機本体１の前面に露出させた第１状態では、遊技者は、可動ハンドレスト２０Ｂに遊技手ｘを支持し、該可動ハンドレスト２０Ｂを摺動させることにより、前記左端のベットボタン５から右端のストップボタン７ｃまでをスムーズに連続して操作することができる。したがって、遊技者は、可動ハンドレスト２０Ｂを使用する場合には、前記本発明の効果を享受することができる。そして、可動ハンドレスト２０Ｂを使用せず、当該ハンドレスト２０Ｂが遊技の妨げと感じる場合には、遊技者は、当該ハンドレスト２０Ｂをハンドレスト収納空間４０に収納することで、遊技への興趣及び意欲を保ちつつ、遊技に熱中することができる。
【００５０】
次に本発明の第三実施形態例について説明する。本実施形態例では、図８に示すように、ストップボタン７ａ、７ｂ、７ｃが遊技者により押圧操作される略球面形状の凸部からなる操作突出端４９を備えた押ボタン型ストップボタン７ａ’、７ｂ’、７ｃ’である。また、前記第一実施形態例と同様に、遊技機本体１の前面の段差面２に、二つのガイド支持片３１，３１が形成され、丸棒形状の直線摺動ガイド３０Ａが、この二つのガイド支持片３１，３１に、その両端を軸支される。そして、可動ハンドレスト２０Ａが、この直線摺動ガイド３０Ａに摺動及び回動可能に外嵌される。加えて、押ボタン型ストップボタン７ａ’、７ｂ’、７ｃ’の列設方向に沿って、その上下両側に夫々案内溝４３、４３が並設され、該案内溝４３、４３に可動押圧片４５が摺動可能に係合される。
【００５１】
可動押圧片４５は、図９に示すように、背面に略球面形状の凸部である押圧突部４６が突成されており、前面にはくぼみ４８が形成されている。また、背面の上端と下端からは夫々脚部４７、４７が形成されており、該脚部４７、４７、を案内溝４３、４３に嵌入させることによって、可動押圧片４５が案内溝４３、４３と係合する。これにより、可動押圧片４５は、案内溝４３、４３の案内により複数の押ボタン型ストップボタン７ａ’、７ｂ’、７ｃ’上を摺動することとなる。そして、図１０に示すように、可動押圧片４５が押ボタン型ストップボタン７ａ’、７ｂ’、７ｃ’上を摺動する際には、可動押圧片４５の押圧突部４６が押ボタン型ストップボタン７ａ’、７ｂ’、７ｃ’の操作突出端４９と衝突して、押ボタン型ストップボタン７ａ’、７ｂ’、７ｃ’が押圧される。
【００５２】
かかる構成では、遊技者は、遊技手を可動ハンドレスト２０Ａに支持した状態で、遊技手ｘのいずれかの指（具体的には親指）を可動押圧片４５前面のくぼみ４８に接触させ、可動ハンドレスト２０Ａを摺動させつつ、可動押圧片４５を移動させることのみにより、複数の押ボタン型ストップボタン７ａ’、７ｂ’、７ｃ’を押圧操作することができるため、操作性は極めて優れたものとなる。また、遊技者は、遊技手ｘが支持された状態にあり、かつ可動押圧片４５を移動操作するだけであって、遊技者自身の押圧操作は省かれるため、遊技手ｘは疲労し難くなる。これにより、遊技者が遊技を長時間継続する場合であっても、遊技への意欲の低下を防止することができる。
【００５３】
なお、ベットボタン５とスタートレバー６とを、遊技者に押圧操作される操作突出端４９を備えた押ボタン型ベットボタン５’と押ボタン型スタートボタン６’とにして、可動押圧片４５が全ての押ボタン型手操作スイッチ部５’、６’、７ａ’、７ｂ’、７ｃ’上を摺動するものであっても良い。
【００５４】
次に本発明の第四実施形態例について説明する。本実施形態例では、図１１に示すように、遊技機本体１の前面の段差面２の下側の右方に、付装周面６２ａに複数のストップボタン７ｄ、７ｅ、７ｆが配設されてなるスイッチ集合片６０Ａと、軸状ハンドル型の回動ハンドレスト５５Ａとからなるスイッチング操作部５０Ａが、該段差面２の下側の左方に、付装周面６２ｂにベットボタン５ｂとスタートボタン６ｂとが配設されてなるスイッチ集合片６０Ｂと、軸状ハンドル型の回動ハンドレスト５５Ｂとからなるスイッチング操作部５０Ｂが、各回動ハンドレスト５５Ａ、５５Ｂ相互が拡開傾斜するように夫々配設されたものである。
【００５５】
軸状ハンドル型の回動ハンドレスト５５には、図１２に示すように、遊技者に把持されるハンド支持面２１ｃが周設されており、一方の端部には軸部５７が形成されている。また、スイッチ集合片６０は、該軸部５７を介して回動ハンドレスト５５を回動可能に軸支する軸支持部６１と、該軸支持部６１と同心状に周設された円弧形状の付装周面６２とを備える。そして、この付装周面６２には、複数の手操作スイッチ部が周方向に沿って適宜間隔で配設されている。
【００５６】
スイッチ集合片６０は、図１３に示すように、遊技機本体１の前面に半分埋設して備えられ、該スイッチ集合片６０に軸支される回動ハンドレスト５５が操作可能となるように、略矩形の開口部を有する凹部７０が該スイッチ集合片６０に並設される。
【００５７】
かかる構成にあっては、遊技者は、回動ハンドレスト５５Ａに右遊技手ｘを支持し、該回動ハンドレスト５５Ａを回動させることによって、三つのストップボタン７ｄ、７ｅ、７ｆをスムーズに連続して操作することできる。また、回動ハンドレスト５５Ｂに左遊技手ｘを支持し、該回動ハンドレスト５５Ｂを回動させることによって、ベットボタン５ｂとスタートボタン６ｂとをスムーズに連続して操作することできる。さらに、両遊技手ｘ、ｘを使って遊技を行うことにより各遊技手ｘ、ｘに必要な遊技動作が減少するため、遊技者は疲労感を感じ難く、遊技への意欲の低下を防止することができる。また、両遊技手ｘ、ｘは安定した状態であり、かつ各回動ハンドレスト５５Ａ、５５Ｂを回動させることにより、両遊技手ｘ、ｘの親指が手操作スイッチ部に沿って移動するため、遊技者は容易に遊技を行うことができ、遊技者の操作性は優れたものとなる。さらに、かかる構成では、両遊技手ｘ、ｘが摩擦の影響を全く受けないため、遊技者は、上記本発明の効果を享受しながら快適に遊技に熱中することができる。
【００５８】
なお、本発明の可動ハンドレストや直線摺動ガイド等の形状、構成及び配置等は上記の実施形態例に限定されるものではない。また、スロットマシンの構成も、いかなるようなものであっても良い。例えば、スロットマシンが、メダルではなく遊技球を遊技媒体とするものであっても良い。
【図面の簡単な説明】
【００５９】
【図１】スロットマシンの斜視図である。
【図２】第一実施形態例に係る遊技機本体１前面の部分斜視図である。
【図３】第一実施形態例に係る可動ハンドレスト２０Ａの縦断側面図である。
【図４】第一実施形態例に係る可動ハンドレスト２０Ａの回動態様を示す縦断側面図（イ）、（ロ）であり、（イ）は可動ハンドレスト２０Ａが水平状態の場合を、（ロ）は可動ハンドレスト２０Ａが遊技者側へ回動し傾斜状態となった場合を示す。
【図５】第二実施形態例に係る遊技機本体１前面の部分斜視図である。
【図６】第二実施形態例に係る可動ハンドレストが係合された扉板３２の縦断側面図である。
【図７】第二実施形態例に係る可動ハンドレスト２０Ｂの縦断側面図（イ）、（ロ）であり、（イ）は第１状態を、（ロ）は第２状態を示す。
【図８】第三実施形態例に係る遊技機本体１前面の部分斜視図である。
【図９】第三実施形態例に係る可動押圧片４５の背面斜視図である。
【図１０】第三実施形態例に係る可動押圧片４５の押圧突部４６と押ボタン型ストップボタンの操作突出端４９との衝突態様を示す縦断側面図（イ）、（ロ）であり、（イ）は衝突前を、（ロ）は衝突時（押圧時）を示す。
【図１１】第四実施形態例に係る遊技機本体１前面の部分正面図である。
【図１２】第四実施形態例に係るスイッチング操作部５０の分解斜視図である。
【図１３】第四実施形態例に係る遊技機本体１を縦断して示すスイッチング操作部５０の右側面図である。
【符号の説明】
【００６０】
１  遊技機本体
２  段差面
３ａ、３ｂ、３ｃ  回転ドラム
４ａ、４ｂ、４ｃ  表示窓
５、５ｂ  ベットボタン（投入手操作スイッチ部）
５’  押ボタン型ベットボタン（投入手操作スイッチ部）  
６  スタートレバー（始動手操作スイッチ部）
６ｂ  スタートボタン（始動手操作スイッチ部）
６’  押ボタン型スタートボタン（始動手操作スイッチ部）
７ａ、７ｂ、７ｃ、７ｄ、７ｅ、７ｆ  ストップボタン（停止手操作スイッチ部）
７ａ’、７ｂ’、７ｃ’  押ボタン型ストップボタン（停止手操作スイッチ部）
８  メダル投入口
９  受け皿
１０  表示部
１１  入賞ラインランプ
２０Ａ、２０Ｂ  可動ハンドレスト
２１ａ、２１ｂ、２１ｃ  ハンド支持面
２２ａ、２２ｂ  係合部
２３  くぼみ（可動ハンドレスト）
２４  傾斜面
２５ａ、２５ｂ、２５ｃ  摺動球
３０Ａ、３０Ｂ  直線摺動ガイド
３１  ガイド支持片
３２  扉板
３３  ストッパー
３４  支軸
３５  案内突部
４０  ハンドレスト収納空間
４３  案内溝
４５  可動押圧片
４６  押圧突部
４７  脚部
４８  くぼみ（可動押圧片）
４９  操作突出端
５０、５０Ａ、５０Ｂ  スイッチング操作部
５５、５５Ａ、５５Ｂ  回動ハンドレスト
５７  軸部
６０、６０Ａ、６０Ｂ  スイッチ集合片
６１  軸支持部
６２、６２ａ、６２ｂ  付装周面
７０  凹部
ｘ  遊技手
【図１】
2006020763.tif 000003
【図２】
2006020763.tif 000004
【図３】
2006020763.tif 000005
【図４】
2006020763.tif 000006
【図５】
2006020763.tif 000007
【図６】
2006020763.tif 000008
【図７】
2006020763.tif 000009
【図８】
2006020763.tif 000010
【図９】
2006020763.tif 000011
【図１０】
2006020763.tif 000012
【図１１】
2006020763.tif 000013
【図１２】
2006020763.tif 000014
【図１３】
2006020763.tif 000015